(57)【要約】【課題】シャワーヘッドから不意に冷水が吐出するのを自動的に防止してシャワー水の流量を確保したシャワー装置を提供する。【解決手段】シャワーヘッド３と湯水混合水栓２との間に配設された冷水排出機構１０は、供給管４から設定温度以上の水である湯水が供給されると第１流路２１に流し、設定温度未満の水である冷水が供給されると第１流路２１と第２流路２２に流す第１弁機構部１１と、第１流路２１に湯水が流れると吐出管５に流し冷水が流れると吐出管５に流さない第２弁機構部１２と、第２流路２２に冷水が流れると排出流路２４に流すとともに吐出管５内の滞留水を排出流路２４に流し、第２流路２２に冷水が流れないと吐出管５から排出流路２４への水の流れを止める第３弁機構部１３と、を有する。各弁機構部の弁体は、移動方向が互いに平行となるように配置され、それぞれがいずれかの流路の横断面の全面を開閉できるように形成されている。【選択図】図２
2020099499.tif 000002
【特許請求の範囲】
【請求項１】
浴室内に固定設置されたシャワーヘッドと湯水混合水栓とを連結する流路の途中に冷水排出機構が配設されたシャワー装置であって、
該冷水排出機構は、前記湯水混合水栓からの供給流路を通じて、設定温度以上の水である湯水が供給された場合に第１流路に前記湯水を流し、前記設定温度未満の水である冷水が供給された場合に前記第１流路及び第２流路に前記冷水を流す第１弁機構と、
前記第１流路の下流側に配置され前記第１弁機構と連動して前記湯水が流された場合に前記湯水を前記第１流路から前記シャワーヘッドへの吐出流路に流し、前記冷水が流された場合に前記吐出流路と前記第１流路との間の水の流れを止める第２弁機構と、
前記第２流路の下流側に配置され前記冷水が供給された場合に前記冷水を前記第２流路から前記冷水排出機構の外への排出流路に流すとともに前記吐出流路内に滞留した水を前記排出流路に流し、前記冷水が供給されない場合に前記吐出流路から前記排出流路への水の流れを止める第３弁機構と、を有し、
各弁機構の弁体は、それぞれがいずれかの流路の横断面の全面を開閉することが可能に形成されているシャワー装置。
【請求項２】
請求項１において、前記各弁機構の弁体は、移動方向が互いに平行となるように配置されているシャワー装置。
【請求項３】
請求項２において、前記各弁機構の弁体の移動方向は上下方向とされ、前記供給流路は前記冷水排出機構に対して下方から連結され、前記吐出流路は前記冷水排出機構に対して上方から連結されているシャワー装置。
【請求項４】
請求項１ないし請求項３のいずれか１項において、前記各弁機構の弁体は、それぞれがいずれかの流路の端部に設けられた環状の弁座に当接又は離隔して開閉するように形成されているシャワー装置。
【発明の詳細な説明】
【技術分野】
【０００１】
本発明は、シャワー装置に関する。詳しくは、シャワー装置の使用初期において、使用者が装置の配管内に溜まった冷水を浴びることを抑制したシャワー装置に関する。
【背景技術】
【０００２】
従来、シャワー装置において、使用初期に装置の配管内に溜まった冷水を使用者が浴びないようにするために配管内の水抜きをする機能を備えたものが知られている。特許文献１に開示されたシャワー装置は、湯水混合水栓とシャワーヘッドとを連結するシャワー水路の適所に配置され、２つの流入ポートと２つの流出ポートを有するシリンダーと、シリンダー内に摺動可能に内嵌されたスプルー弁と、を有する。さらに、このシャワー装置は、シリンダー内でスプルー弁を摺動操作する復帰バネ体と感温操作具とを有する。シャワー水路の上流側に導かれるシャワー水の温度によって復帰バネ体と感温操作具は、シリンダー内のスプルー弁位置を変更することによって流入ポートと流出ポートの連結を切り換える。冷水状態のシャワー水がシャワー水路の上流側に導かれると、スプルー弁は復帰バネ体に押圧された位置にあって、シャワー水路の下流側に残留している冷水は、冷水状態のシャワー水と共に外部に排出される。温水状態のシャワー水がシャワー水路の上流側に導かれると、スプルー弁は復帰バネ体の付勢力に抗して感温操作具に押圧されて移動した位置にあって、温水状態のシャワー水はシャワーヘッドに導かれる。これによって、このシャワー装置は、自動的に使用初期にシャワー水路の下流側に溜まった冷水を抜くことができる。
【先行技術文献】
【特許文献】
【０００３】
【特許文献１】特開平３−１８３３２号公報
【発明の概要】
【発明が解決しようとする課題】
【０００４】
上記従来技術では、シャワー装置使用の初期にシャワーヘッドから不意に冷水が吐出しないようにするために、自動的にシャワー水路の下流側に溜まった冷水を抜くことができる。しかし、シャワー水路の適所に配置されたシリンダー内を摺動するスプルー弁によって流入ポートと流出ポートの連結を切り換えるものであるため流路の断面積が小さくシャワー水の流量を確保するのが難しかった。
【０００５】
このような問題に鑑み本発明の課題は、使用の初期にシャワーヘッドから不意に冷水が吐出することを自動的に防止することができるとともにシャワー水の流量を確保したシャワー装置を提供することにある。
【課題を解決するための手段】
【０００６】
本発明の第１発明は、浴室内に固定設置されたシャワーヘッドと湯水混合水栓とを連結する流路の途中に冷水排出機構が配設されたシャワー装置であって、該冷水排出機構は、前記湯水混合水栓からの供給流路を通じて、設定温度以上の水である湯水が供給された場合に第１流路に前記湯水を流し、前記設定温度未満の水である冷水が供給された場合に前記第１流路及び第２流路に前記冷水を流す第１弁機構と、前記第１流路の下流側に配置され前記第１弁機構と連動して前記湯水が流された場合に前記湯水を前記第１流路から前記シャワーヘッドへの吐出流路に流し、前記冷水が流された場合に前記吐出流路と前記第１流路との間の水の流れを止める第２弁機構と、前記第２流路の下流側に配置され前記冷水が供給された場合に前記冷水を前記第２流路から前記冷水排出機構の外への排出流路に流すとともに前記吐出流路内に滞留した水を前記排出流路に流し、前記冷水が供給されない場合に前記吐出流路から前記排出流路への水の流れを止める第３弁機構と、を有し、各弁機構の弁体は、それぞれがいずれかの流路の横断面の全面を開閉することが可能に形成されていることを特徴とする。
【０００７】
第１発明によれば、湯水混合水栓から冷水排出機構に冷水が供給された場合は、冷水は第２流路を通って排出流路に流されるとともに、吐出流路内に溜まった水を排出流路に流すことができる。これによって、使用の初期にシャワーヘッドから不意に冷水が吐出することを自動的に防止できる。また、各弁機構の弁体は、それぞれがいずれかの流路の横断面の全面を開閉することが可能に形成されているので、各流路の横断面を確保して水を流すことができる。
【０００８】
本発明の第２発明は、上記第１発明において、前記各弁機構の弁体は、移動方向が互いに平行となるように配置されていることを特徴とする。
【０００９】
第２発明によれば、各流路に対する各弁機構の取付けが容易となる。
【００１０】
本発明の第３発明は、上記第２発明において、前記各弁機構の弁体の移動方向は上下方向とされ、前記供給流路は前記冷水排出機構に対して下方から連結され、前記吐出流路は前記冷水排出機構に対して上方から連結されていることを特徴とする。
【００１１】
第３発明によれば、冷水排出機構に対して供給流路は下方から連結され吐出流路は上方から連結されているので、冷水排出機構に冷水が供給されたとき吐出流路内に溜まった水を排出流路に流しやすい。
【００１２】
本発明の第４発明は、上記第１発明ないし上記第３発明のいずれかにおいて、前記各弁機構の弁体は、それぞれがいずれかの流路の端部に設けられた環状の弁座に当接又は離隔して開閉するように形成されていることを特徴とする。
【００１３】
上記構成によれば、弁座及び弁体の構造を簡潔化することができる。
【図面の簡単な説明】
【００１４】
【図１】本発明の一実施形態であるシャワー装置の正面図である。
【図２】上記実施形態におけるシャワー装置の配管経路を模式的に示した図である。
【図３】上記実施形態における冷水排出機構の斜視図である。
【図４】図３のＩＶ−ＩＶ矢視線断面図である。供給流路から温水が供給された場合の状態を示す。
【図５】図４のＶ−Ｖ矢視線断面図である。
【図６】図５のＶＩ−ＶＩ矢視線断面図である。
【図７】図３に対応する断面図である。供給流路から冷水が供給された場合の状態を示す。
【図８】図７のＶＩＩＩ−ＶＩＩＩ矢視線断面図である。
【図９】図８のＩＸ−ＩＸ矢視線断面図である。
【図１０】他の実施形態における冷水排出機構の図４に対応する図である。供給流路から温水が供給された場合の状態を示す。
【発明を実施するための形態】
【００１５】
本発明の一実施形態に係るシャワー装置１の構成について、図１〜図９を用いて説明する。以下の説明において、前後上下左右等の各方向を示す場合には、各図中に示されたそれぞれの方向を指すものとする。
【００１６】
図１に示すように、本実施形態に係るシャワー装置１は、浴室の壁面Ｗに設置される、いわゆる壁面固定タイプのシャワー装置として構成されている。シャワー装置１は、壁面Ｗの下部に配置された湯水混合水栓２と、壁面Ｗの上部に配置されたシャワーヘッド３と、湯水混合水栓２とシャワーヘッド３との間に配置された冷水排出機構１０と、を有する。さらに、シャワー装置１は、湯水混合水栓２と冷水排出機構１０とを連結する供給管４と、シャワーヘッド３と冷水排出機構１０とを連結する吐出管５と、を有する。
【００１７】
湯水混合水栓２は、給湯管２ａから供給された湯と給水管２ｂから供給された水とを適当な割合で混合して調温水を吐出することができる機能を備える。具体的には、略円筒型の温調ハンドル２ｃを所望の回転位置に合わせることにより、内部で混合される湯水の混合割合を調節して所望の設定温度の調温水が作られるようになっている。そして、略円筒型の切替ハンドル２ｄを操作することによって、図示しない背面に配置された吐出口から供給管４に吐出される調温水の吐出量を調節できるようになっている。シャワーヘッド３は、吐出管５を通じて供給された調温水を下方に向けて吐出する。冷水排出機構１０には、下側に供給管４の上端部側が連結され、上側に吐出管５の下端部が連結されている。ここで、供給管４と吐出管５が、それぞれ特許請求の範囲の「供給流路」と「吐出流路」に相当する。
【００１８】
冷水排出機構１０については、図２に基づいてその機能の概要について説明してから、図３〜図９に基づいてその構成、作動の詳細について説明する。図２に示すように、下側に配置された第１弁機構部１１には、下側から供給管４の上端が連結されるとともに、側方から第１流路２１の下端と第２流路２２の下端が連結されている。第１弁機構部１１は、感温タイプの弁機構であって、供給管４から供給される湯水混合水栓２によって調温された水の温度が、設定温度以上の湯水の場合は第１流路２１に湯水を流し、設定温度未満の冷水の場合は第１流路２１と第２流路２２に冷水を流す。上側に配置された第２弁機構部１２には、上側から吐出管５の下端が連結されるとともに、側方から第１流路２１の上端と第３流路２３の上端が連結されている。さらに、第２弁機構部１２には、下側から第２流路２２の途中から分岐した副第２流路２２１の上端が連結されている。第２弁機構部１２は第１弁機構部１１と連動可能に構成されており、副第２流路２２１に水が供給されない場合には第１流路２１と吐出管５を連結して水を流し、副第２流路２２１に水が供給された場合には第１流路２１と吐出管５の連結を遮断して水を流さない。吐出管５と第３流路２３とは常に連結されて水を流せる状態にある。上下方向の位置が第１弁機構部１１と第２弁機構部１２の間に配置された第３弁機構部１３は、連動する２つの弁部を有する。下側の弁部が下第３弁部１３１であり、上側の弁部が上第３弁部１３２である。下第３弁部１３１には、下側から第２流路２２の上端が連結されるとともに、側方に排出流路２４が連結されている。上第３弁部１３２には、上側から第３流路２３の下端が連結されるとともに、側方に排出流路２４が連結されている。第３弁機構部１３は、第２流路２２から下第３弁部１３１に水が供給された場合に、第２流路２２と排出流路２４を連結して水を流す。このとき、上第３弁部１３２は下第３弁部１３１と連動して、第３流路２３と排出流路２４を連結して水を流す。上第３弁部１３２は下第３弁部１３１に第２流路２２から水が供給されない場合、第３流路２３と排出流路２４の連結を遮断して水を流さない。
【００１９】
冷水排出機構１０は、次のように機能する。給湯管２ａから供給された湯と給水管２ｂから供給された水を湯水混合水栓２が混合して調温した水が供給管４を通して冷水排出機構１０に供給される。ここで、この供給された水の温度が設定温度以上の湯水の場合は、第１弁機構部１１は第１流路２１に湯水を流す。このとき、副第２流路２２１には湯水が供給されていないので第２弁機構部１２は第１流路２１と吐出管５を連結して湯水を流す。これによって、温度が設定温度以上の湯水は、供給管４、第１流路２１、吐出管５を通ってシャワーヘッド３に到達し、シャワーヘッド３から吐出される。一方、供給管４を通して供給された水の温度が設定温度未満の冷水の場合は、第１弁機構部１１は第１流路２１及び第２流路２２に冷水を流し、第３弁機構部１３の下第３弁部１３１は第２流路２２と排出流路２４を連結して冷水を流す。これによって、温度が設定温度未満の冷水は、供給管４、第２流路２２、排出流路２４を通って冷水排出機構１０の外部に排出される。また、下第３弁部１３１が第２流路２２と排出流路２４を連結したとき、上第３弁部１３２は下第３弁部１３１に連動して第３流路２３と排出流路２４を連結する。このとき、副第２流路２２１には冷水が供給されているので第２弁機構部１２は吐出管５と第１流路２１の連結を遮断して水を流さず、第１流路２１から吐出管５には冷水は流れない。そして、吐出管５と第３流路２３の中に残留した水は重力で排出流路２４を通って冷水排出機構１０の外部に排出される。すなわち、供給管４を通して供給された水の温度が設定温度未満の冷水の場合は、供給された冷水と共に、吐出管５と第３流路２３の中に残留した水も排出流路２４を通って冷水排出機構１０の外部に排出される。これによって、シャワー装置１の使用の初期にシャワーヘッドから不意に設定温度未満の冷水が吐出することを自動的に防止できる。
【００２０】
図３〜図９に示すように、冷水排出機構１０は、略直方体状のケースＣの中に、第１弁機構部１１と、第２弁機構部１２と、第３弁機構部１３と、第１配管部３１と、第２配管部３２と、が配置されて形成されている。
【００２１】
図４及び図５に示すように、第１弁機構部１１は、上下方向に延びる円柱状の内筒部１１ａ１を有する略円筒状の部材として形成された本体部１１ａと、内筒部１１ａ１の中に上下方向に摺動可能に配置された弁体部１１ｂと、を有する。本体部１１ａには、内筒部１１ａ１の上下方向中央部から右方に向かって延びる分岐部１１ａ２が設けられている。また、本体部１１ａの下端部側にはケースＣの外部に露出する供給管取付部１１ａ３が設けられている。さらに、本体部１１ａの内筒部１１ａ１における供給管取付部１１ａ３の上部には、径方向内側に向かって突出する円環状の凸部１１ａ４が設けられている。弁体部１１ｂは、上下方向に延びる円柱状の軸部１１ｂ１と、形状記憶合金製の感温ばね１１ｂ２と、バイアスばね１１ｂ３と、弁体１１ｂ４と、を有する。軸部１１ｂ１には上下方向中央部の若干下方に径方向に突出する円環状の突出部１１ｂ１１が設けられている。凸部１１ａ４と突出部１１ｂ１１との間に感温ばね１１ｂ２が配置されるとともに、軸部１１ｂ１の上部を支持する貫通孔が設けられた蓋１１ｃと突出部１１ｂ１１との間にバイアスばね１１ｂ３が配置されて本体部１１ａに対し軸部１１ｂ１が組み付けられている。蓋１１ｃは、本体部１１ａに対して第２配管部３２が組み付けられたとき、第２配管部３２によって本体部１１ａに押圧固定される。この状態で、蓋１１ｃから上部に突出した軸部１１ｂ１には、硬質ゴム製の円盤状の弁体１１ｂ４が取付けられている。弁体１１ｂ４は、第２配管部３２の下端部側に設けられた円環状の弁座３２ｂに当接したとき、内筒部１１ａ１と第２配管部３２の内筒部３２ａとの連結を遮断して弁を閉じる。感温ばね１１ｂ２は、内筒部１１ａ１に侵入する水の温度により温度が高くなると上下方向に伸び温度が低くなると上下方向に縮む。そして、内筒部１１ａ１に侵入する水の温度が、設定温度以上の湯水のとき弁体１１ｂ４が弁座３２ｂに当接して弁を閉じ、設定温度未満の冷水のとき弁を開けるように構成されている。感温ばね１１ｂ２とバイアスばね１１ｂ３は、常に圧縮方向で働くように設定されている。ここで、第１弁機構部１１と弁座３２ｂが、特許請求の範囲の「第１弁機構」に相当する。
【００２２】
図４及び図５に示すように、第２弁機構部１２は、上下方向に延びる円柱状の内筒部１２ａ１を有する略円筒状の部材として形成された本体部１２ａと、内筒部１２ａ１の下端部に対して上下方向に移動可能に配置された弁体１２ｂと、を有する。内筒部１２ａ１の下側は二重構造になっていて、内筒部１２ａ１を構成する円筒隔壁部１２ａ２の外筒部との間に円筒状の空隙１２ａ３を形成する外側内筒部１２ａ４が設けられている。円筒隔壁部１２ａ２の下端部に円環状に突出した弁座１２ａ２１が設けられている。外側内筒部１２ａ４の上端部側には、右方に向かって延びる分岐部１２ａ５が設けられ、内筒部１２ａ１の上下方向中央部の若干上方には、後方に向かって延びる分岐部１２ａ６が設けられている。内筒部１２ａ１の内径は、分岐部１２ａ５の内径及び分岐部１２ａ６の内径と同一に形成されている。また、本体部１２ａの上端部側にはケースＣの外部に露出する吐出管取付部１２ａ７が設けられている。弁体１２ｂは、ダイヤフラム式のものでダイヤフラム膜１２ｂ１と、ダイヤフラム膜１２ｂ１を補強するベース１２ｂ２と、ベース１２ｂ２を上方に向けて付勢する付勢ばね１２ｂ３と、を有する。ダイヤフラム膜１２ｂ１は下側からベース１２ｂ２が取付けられた状態で外側内筒部１２ａ４に対して上下方向に摺動可能に配置されている。そして、ダイヤフラム膜１２ｂ１とベース１２ｂ２は、第２弁機構部１２に対し下方から第２配管部３２が取付られた状態で、第２配管部３２の上面部とベース１２ｂ２の下面部との間に配置された付勢ばね１２ｂ３によって上方に向けて付勢されている。ダイヤフラム膜１２ｂ１は、上面部に下方に向かう水圧が印加されていない状態では、上面部が円筒隔壁部１２ａ２の弁座１２ａ２１に押し付けられて内筒部１２ａ１と空隙１２ａ３との連結が遮断されて弁が閉じられている状態にある。ここで、第２弁機構部１２が、特許請求の範囲の「第２弁機構」に相当する。
【００２３】
図４及び図５に示すように、第１配管部３１は、下エルボ３１ａと上エルボ３１ｂとが連結管３１ｃで連結されて形成されている。下エルボ３１ａは、内筒部３１ａ１が分岐部１１ａ２と一致するように第１弁機構部１１に連結され、上エルボ３１ｂは、内筒部３１ｂ１が分岐部１２ａ５と一致するように第２弁機構部１２に連結されている。内筒部３１ａ１、分岐部１１ａ２、内筒部３１ｂ１及び分岐部１２ａ５、は、同一内径で、連結管３１ｃの内筒部３１ｃ１の内径より小さく形成されている。ここで、内筒部３１ａ１、内筒部３１ｃ１及び内筒部３１ｂ１が、特許請求の範囲の「第１流路」に相当する。
【００２４】
図４及び図５に示すように、第２配管部３２は、第１弁機構部１１の上端部と第２弁機構部１２の下端部との間に配置された、上下方向に延びる円柱状の内筒部３２ａを有する略円筒状の部材である。内筒部３２ａは、下端部側の下内筒部３２ａ１、中央部の中内筒部３２ａ２、上端部側の上内筒部３２ａ３が同軸に配置されて形成されている。下内筒部３２ａ１はその中を弁体１１ｂ４が上下方向に遊動可能な内径に形成され、上内筒部３２ａ３はその中をダイヤフラム膜１２ｂ１とベース１２ｂ２が上下方向に遊動可能な内径に形成されている。中内筒部３２ａ２の下端部側には、後方に向かって延びる分岐部３２ａ２１が設けられている。中内筒部３２ａ２の内径は、分岐部３２ａ２１、分岐部１１ａ２、内筒部１２ａ１、分岐部１２ａ５、分岐部１２ａ６と同一の内径に形成されている。したがって、弁体１１ｂ４は、中内筒部３２ａ２の横断面の全面を開閉可能に形成され、ダイヤフラム膜１２ｂ１は、内筒部１２ａ１の横断面の全面を開閉可能に形成されている。ここで、ダイヤフラム膜１２ｂ１は、内筒部３２ａに水が満たされた状態ではその水圧と同じ又はそれ以下の水圧が空隙１２ａ３に印加されても下方には移動せず弁が閉じられた状態を維持する。ここで、内筒部３２ａの分岐部３２ａ２１より上方の部分が、図２における副第２流路２２１である。
【００２５】
図５及び図６に示すように、第３弁機構部１３は、下エルボ１３ａと上エルボ１３ｂとの間に弁ケース１３ｃが配置されて形成されている。下エルボ１３ａは、内筒部１３ａ１が分岐部３２ａ２１と一致して第２流路２２の一部をなすように第２配管部３２に連結されている。上エルボ１３ｂは、内筒部１３ｂ１が分岐部１２ａ６と一致して第３流路２３をなすように第２弁機構部１２に連結されている。下エルボ１３ａの弁ケース１３ｃ側の端部における内筒部１３ａ１の外周縁部には、上方に突出する環状の弁座１３ａ２が形成されている。弁ケース１３ｃは、上下方向に延びる円柱形状をしており、下部に円柱状の空間を形成する下内筒部１３ｃ１が形成され、上部に円柱状の空間を形成する上内筒部１３ｃ２が形成されている。下内筒部１３ｃ１と上内筒部１３ｃ２は、同軸同径の空間であり、両者の間には隔壁部１３ｃ３が設けられている。下内筒部１３ｃ１の径方向内側には同軸で上下方向に延びる円筒隔壁部１３ｃ１１が配設されており、円筒隔壁部１３ｃ１１の径方向内側には下内筒部１３ｃ１と同軸の内側内筒部１３ｃ１２が形成されている。円筒隔壁部１３ｃ１１の上端部は隔壁部１３ｃ３の下面に連結されている。下内筒部１３ｃ１の上部には、右方に向かって延びる分岐部１３ｃ１３が設けられている。隔壁部１３ｃ３には、下側に内側内筒部１３ｃ１２と同軸同径の下側内筒部１３ｃ３１が形成され、上側に下側内筒部１３ｃ３１と同軸で下側内筒部１３ｃ３１より径の大きい上側内筒部１３ｃ３２が形成されている。上側内筒部１３ｃ３２には、右方に向かって延びるす分岐部１３ｃ３２１が設けられている。下側内筒部１３ｃ３１と内側内筒部１３ｃ１２は、後述する弁体部１３ｄの軸部１３ｄ１を上下方向に摺動可能に支持する部分であり、上側内筒部１３ｃ３２は、上内筒部１３ｃ２を分岐部１３ｃ３２１に連結するものである。また、上側内筒部１３ｃ３２は、弁体部１３ｄが上下動するとき軸部１３ｄ１の一部である大径部１３ｄ２が干渉するのを避けるためのものでもある。隔壁部１３ｃ３の上面における、上側内筒部１３ｃ３２の外周縁部には上方に向けて突出する環状の弁座１３ｃ３３が設けられている。弁体部１３ｄは、上下方向に延びる円柱状の軸部１３ｄ１と、軸部１３ｄ１の下端部側に取付けられた硬質ゴム製の円盤状の弁体１３ｄ３と、軸部１３ｄ１の上端部側に取付けられた硬質ゴム製の円盤状の弁体１３ｄ４と、を有する。軸部１３ｄ１の弁体１３ｄ４に接する部分は径方向に膨らんだ大径部１３ｄ２として形成されている。弁体部１３ｄは、軸部１３ｄ１が弁ケース１３ｃの下側内筒部１３ｃ３１と内側内筒部１３ｃ１２に挿入されて上下方向に摺動可能とされるとともに、隔壁部１３ｃ３の下面と弁体１３ｄ３の上面との間に付勢ばね１３ｅが配設されて下方に向かって付勢されている。したがって、内筒部１３ａ１に水が供給されない場合は、弁体１３ｄ３は弁座１３ａ２に当接して閉じており、弁体１３ｄ４は弁座１３ｃ３３に当接して閉じている。ここで、弁ケース１３ｃ、弁体部１３ｄ及び弁座１３ａ２が、特許請求の範囲の「第３弁機構」に相当する。また、内筒部３２ａ、分岐部３２ａ２１及び内筒部１３ａ１が、特許請求の範囲の「第２流路」に相当する。さらに、内筒部１３ｂ１が、特許請求の範囲の「第３流路」に相当する。図２との関係において、弁体１３ｄ３と弁座１３ａ２が下第３弁部１３１に相当し、弁体１３ｄ４と弁座１３ｃ３３が上第３弁部１３２に相当する。
【００２６】
図６に示すように、第３弁機構部１３の右側には水を冷水排出機構１０の外部に排出する排水管３３が取付けられている。排水管３３は、前方から見て逆Ｌ字形に屈曲して延びる第１内筒部３３ａと、同じく前方から見て逆Ｌ字形に屈曲して延びる第２内筒部３３ｂと、を有する。第１内筒部３３ａの上端部側は、第３弁機構部１３の分岐部１３ｃ１３に連結され、第２内筒部３３ｂの上端部側は、第３弁機構部１３の分岐部１３ｃ３２１に連結されている。第１内筒部３３ａと第２内筒部３３ｂの下端部側は、図示しない浴室の床面近傍に配置されている。ここで、第１内筒部３３ａと第２内筒部３３ｂが、それぞれ特許請求の範囲の「排出流路」に相当する。
【００２７】
図２及び図４〜図９に基づいて冷水排出機構１０の作動について説明する。図４〜図６が、冷水排出機構１０に供給管４から設定温度以上の水である湯水が供給された場合の冷水排出機構１０の状態を示す。また、図７〜図９が、冷水排出機構１０に供給管４から設定温度未満の水である冷水が供給された場合の冷水排出機構１０の状態を示す。なお、設定温度は、シャワー装置１の使用者が水を浴びたときに不快に感じない温度域内において自由に選ぶことができるが例えば３５℃とすることができる。
【００２８】
図２及び図４〜図６に示すように、湯水混合水栓２が混合して調温した設定温度以上の水である湯水が供給管４を通じて第１弁機構部１１の供給管取付部１１ａ３から内筒部１１ａ１に導かれると感温ばね１１ｂ２が湯水に浸漬される。感温ばね１１ｂ２は伸張して突出部１１ｂ１１をバイアスばね１１ｂ３の付勢力に抗して上方に向けて押圧することにより弁体部１１ｂが上昇して弁体１１ｂ４が弁座３２ｂに当接して弁を閉じる。これによって、湯水は内筒部３２ａへの流れを止められ、分岐部１１ａ２、内筒部３１ａ１、内筒部３１ｃ１、内筒部３１ｂ１、分岐部１２ａ５を通って空隙１２ａ３に流れる。空隙１２ａ３に充満した湯水は、ダイヤフラム膜１２ｂ１とベース１２ｂ２を付勢ばね１２ｂ３の付勢力に抗して下方に向けて押圧し、ダイヤフラム膜１２ｂ１は弁座１２ａ２１から離隔して弁が開く。これによって、湯水は内筒部１２ａ１から吐出管取付部１２ａ７に取付けられた吐出管５に流れシャワーヘッド３に到達してシャワーヘッド３から吐出される。このとき、湯水は内筒部３２ａへは流れないので分岐部３２ａ２１及び内筒部１３ａ１にも流れず第３弁機構部１３の弁体１３ｄ３は弁座１３ａ２に当接して閉じており、弁体１３ｄ４は弁座１３ｃ３３に当接して閉じている。これによって、湯水は、内筒部１２ａ１から分岐部１２ａ６、内筒部１３ｂ１を通って分岐部１３ｃ３２１、第２内筒部３３ｂには流れない。
【００２９】
図２及び図７〜図９に示すように、湯水混合水栓２が混合して調温した設定温度未満の水である冷水が供給管４を通じて第１弁機構部１１の供給管取付部１１ａ３から内筒部１１ａ１に導かれると感温ばね１１ｂ２が冷水に浸漬される。感温ばね１１ｂ２は収縮して突出部１１ｂ１１がバイアスばね１１ｂ３の付勢力によって下方に向けて押圧されることにより弁体部１１ｂが下降して弁体１１ｂ４が弁座３２ｂから離隔して弁を開く。これによって、冷水は内筒部３２ａと分岐部１１ａ２へ流れる。このとき、分岐部１１ａ２、内筒部３１ａ１、内筒部３１ｃ１、内筒部３１ｂ１、分岐部１２ａ５を通って空隙１２ａ３に流れた冷水は、内筒部１２ａ１には流れない。なぜならば、付勢ばね１２ｂ３の付勢力と内筒部３２ａに充満した水の圧力によって、ダイヤフラム膜１２ｂ１が弁座１２ａ２１に押し付けられており、空隙１２ａ３に充満した冷水の圧力ではダイヤフラム膜１２ｂ１を下降させて弁を開くことができないからである。冷水は、内筒部３２ａから分岐部３２ａ２１、内筒部１３ａ１へと流れ第３弁機構部１３の弁体１３ｄ３を付勢ばね１３ｅの付勢力に抗して押し上げ弁座１３ａ２から離隔させて弁を開く。これによって、冷水は下内筒部１３ｃ１、分岐部１３ｃ１３、第１内筒部３３ａを通って冷水排出機構１０の外部に排出される。このとき、弁体１３ｄ４は、弁体１３ｄ３と軸部１３ｄ１によって連結されているので弁体１３ｄ３とともに上昇し、弁座１３ｃ３３から離隔させて弁を開く。これによって、吐出管５、内筒部１２ａ１の上部、分岐部１２ａ６、内筒部１３ｂ１及び上内筒部１３ｃ２の中に残留した水は重力で上側内筒部１３ｃ３２、分岐部１３ｃ３２１、第２内筒部３３ｂを通って冷水排出機構１０の外部に排出される。
【００３０】
以上のように構成される本実施形態は、以下のような作用効果を奏する。湯水混合水栓２から冷水排出機構１０に冷水が供給された場合は、冷水は内筒部３２ａ、分岐部３２ａ２１、内筒部１３ａ１、下内筒部１３ｃ１、分岐部１３ｃ１３、第１内筒部３３ａを通って冷水排出機構１０の外部に排出される。同時に、吐出管５、内筒部１２ａ１の上部、分岐部１２ａ６、内筒部１３ｂ１及び上内筒部１３ｃ２の中に残留した水は重力で上側内筒部１３ｃ３２、分岐部１３ｃ３２１、第２内筒部３３ｂを通って冷水排出機構１０の外部に排出される。これによって、使用の初期にシャワーヘッドから不意に冷水が吐出することを自動的に防止できる。また、弁体１１ｂ４、弁体１２ｂ、弁体１３ｄ３、弁体１３ｄ４は、いずれも開閉時の移動方向が上下方向で、互いに移動方向が平行になるように配置されている。弁体１１ｂ４は内筒部３２ａの、弁体１２ｂは内筒部１２ａ１の、弁体１３ｄ３は内筒部１３ａ１の、弁体１３ｄ４は上側内筒部１３ｃ３２の、横断面の全面を開閉することが可能に形成されている。これによって、内筒部３２ａ、内筒部１２ａ１、内筒部１３ａ１、上側内筒部１３ｃ３２の横断面を確保して水を流すことができるとともに各内筒部に対する各弁体を備えた弁機構部の取付けが容易となる。
【００３１】
また、冷水排出機構１０に対して供給管４は下方から連結され吐出管５は上方から連結されているので、冷水排出機構１０に冷水が供給されたとき吐出管５、内筒部１２ａ１の上部、分岐部１２ａ６、内筒部１３ｂ１及び上内筒部１３ｃ２の中に残留した水を冷水排出機構１０の外部に排出しやすい。さらに、弁体１１ｂ４は弁座３２ｂに、弁体１２ｂは弁座１２ａ２１に、弁体１３ｄ３は弁座１３ａ２に、弁体１３ｄ４は弁座１３ｃ３３に、それぞれ、いずれかの配管の端部に設けられた環状の弁座に当接又は離隔して開閉するように形成されているので、弁座及び弁体の構造を簡潔化することができる。
【００３２】
図１０は、本発明の他の実施形態を示す図である。上記一実施形態と重複する構成に関しては、図面に同一の符号を付して説明を省略する。上記一実施形態との違いは、第１弁機構部１１において弁体部１１ｂの代わりに弁体部１１０ｂが設けられている点である。第１弁機構部１１０の弁体部１１０ｂは、上下方向に延びる円柱状の軸部１１０ｂ１と、軸部１１０ｂ１の下側に同軸で配置されたワックスエレメント部１１０ｂ２と、付勢ばね１１０ｂ３と、バイアスばね１１ｂ３と、弁体１１ｂ４と、を有する。ワックスエレメント部１１０ｂ２には、上下方向中央部の若干下方に径方向に突出する円環状の突出部１１０ｂ２１が設けられている。凸部１１ａ４と突出部１１０ｂ２１との間に付勢ばね１１０ｂ３が配置されるとともに、軸部１１０ｂ１の上部を支持する貫通孔が設けられた蓋１１ｃと突出部１１０ｂ２１との間にバイアスばね１１ｂ３が配置されて本体部１１ａに対し軸部１１０ｂ１が組み付けられている。蓋１１ｃは、本体部１１ａに対して第２配管部３２が組み付けられたとき、第２配管部３２によって本体部１１ａに押圧固定される。この状態で、蓋１１ｃから上部に突出した軸部１１０ｂ１には、硬質ゴム製の円盤状の弁体１１ｂ４が取付けられている。弁体１１ｂ４は、第２配管部３２の下端部側に設けられた円環状の弁座３２ｂに当接したとき、内筒部１１ａ１と第２配管部３２の内筒部３２ａとの連結を遮断して弁を閉じる。ワックスエレメント部１１０ｂ２は、その下端部が本体部１１ａに設けられた支持部１１ａ５に支持されており、内筒部１１ａ１に侵入する水の温度により温度が高くなると上下方向に伸び温度が低くなると上下方向に縮む。そして、内筒部１１ａ１に侵入する水の温度が、設定温度以上の湯水のとき弁体１１ｂ４が弁座３２ｂに当接して弁を閉じ、設定温度未満の冷水のとき弁を開けるように構成されている。付勢ばね１１０ｂ３とバイアスばね１１ｂ３は、常に圧縮方向で働くように設定されている。ここで、第１弁機構部１１０と弁座３２ｂが、特許請求の範囲の「第１弁機構」に相当する。以上のように構成される本実施形態は、上記一実施形態と同じ作用効果を奏する。
【符号の説明】
【００３３】
１     シャワー装置
２     湯水混合水栓
３     シャワーヘッド
４     供給管（供給流路）
５     吐出管（吐出流路）
１０   冷水排出機構
１１   第１弁機構部（第１弁機構）
１１ａ 本体部
１１ａ１      内筒部
１１ａ２      分岐部
１１ｂ 弁体部
１１ｂ１      軸部
１１ｂ４      弁体
１２   第２弁機構部（第２弁機構）
１２ａ 本体部
１２ａ１      内筒部
１２ａ２１    弁座
１２ａ３      空隙
１２ａ５      分岐部
１２ａ６      分岐部
１２ｂ 弁体
１２ｂ１      ダイヤフラム膜
１２ｂ２      ベース
１３   第３弁機構部
１３ａ 下エルボ
１３ａ１      内筒部（第２流路）
１３ａ２      弁座（第３弁機構）
１３ｂ 上エルボ
１３ｂ１      内筒部（第３流路）
１３ｃ 弁ケース（第３弁機構）
１３ｃ１      下内筒部
１３ｃ１３    分岐部
１３ｃ２      上内筒部
１３ｃ３      隔壁部
１３ｃ３２    上側内筒部
１３ｃ３２１  分岐部
１３ｃ３３    弁座
１３ｄ 弁体部（第３弁機構）
１３ｄ１      軸部
１３ｄ３      弁体
１３ｄ４      弁体
２１   第１流路
２２   第２流路
２３   第３流路
２４   排出流路
３１   第１配管部
３１ａ 下エルボ
３１ａ１      内筒部（第１流路）
３１ｂ 上エルボ
３１ｂ１      内筒部（第１流路）
３１ｃ 連結管
３１ｃ１      内筒部（第１流路）
３２   第２配管部
３２ａ 内筒部（第２流路）
３２ａ１      下内筒部
３２ａ２      中内筒部
３２ａ２１    分岐部（第２流路）
３２ａ３      上内筒部
３２ｂ 弁座（第１弁機構）
３３   排水管
３３ａ 第１内筒部（排出流路）
３３ｂ 第２内筒部（排出流路）
１１０ 第１弁機構部（第１弁機構）
１１０ｂ      弁体部
１１０ｂ１    軸部
１１０ｂ２    ワックスエレメント部
１３１ 下第３弁部
１３２ 上第３弁部
Ｃ     ケース
Ｗ     壁面
【図１】
2020099499.tif 000003
【図２】
2020099499.tif 000004
【図３】
2020099499.tif 000005
【図４】
2020099499.tif 000006
【図５】
2020099499.tif 000007
【図６】
2020099499.tif 000008
【図７】
2020099499.tif 000009
【図８】
2020099499.tif 000010
【図９】
2020099499.tif 000011
【図１０】
2020099499.tif 000012